(57)【要約】【課題】耐火性能を満足させて天井ふところを低くする。【解決手段】床組構造１０は梁４６の間に架け渡されるＨ形鋼１２を有している。Ｈ形鋼１２のウェブ１６の両面には複数のスタッド１４が接合され、Ｈ形鋼１２及びスタッド１４と一体となるように、コンクリートスラブ１８が現打設されている。コンクリートスラブ１８とＨ形鋼１２は、ウェブ１６の両面に設けられたスタッド１４で強く接合されている。Ｈ形鋼１２のウェブ１６の厚さはＨ１とされ、コンクリートスラブ１８は、ウェブ１６の成Ｈ１の全幅以上を覆う厚さＨ２とされている。コンクリートスラブ１８の内部には主筋や配力筋が配筋され、コンクリートスラブ１８の上面１８Ｕは、Ｈ形鋼１２の上側フランジ１２Ｕの上面と同じ高さとされ、Ｈ形鋼１２は、上側フランジ１５Ｕの上面と下側フランジ１５Ｄの下面及び側面を除き、コンクリートスラブ１８に埋設されている。【選択図】図１
2011231543.tif 000002
【特許請求の範囲】
【請求項１】
鉄骨製の梁と、
前記梁の側面に接合されたスタッドと、
前記梁の側面及び前記スタッドと一体となるように打設されたコンクリートスラブと、
を有する床組構造。
【請求項２】
前記梁はＨ形鋼又はＴ形鋼であり、
前記コンクリートスラブの厚さは、前記Ｈ形鋼又は前記Ｔ形鋼のウェブの全幅以上である請求項１に記載の床組構造。
【請求項３】
Ｈ形鋼又はＴ形鋼と、
前記Ｈ形鋼又は前記Ｔ形鋼のウェブの両側面に接合されたスタッドと、
少なくとも前記Ｈ形鋼又は前記Ｔ形鋼のウェブの全幅以上の厚さで前記ウェブの両側面に構築されたコンクリートスラブと、
を有するプレキャストコンクリートスラブ版。
【請求項４】
前記コンクリートスラブの周囲の一部を切り欠いて形成され、前記コンクリートスラブの継手筋を露出させた接続部を有する請求項３に記載のプレキャストコンクリートスラブ版。
【請求項５】
Ｈ形鋼又はＴ形鋼と、
前記Ｈ形鋼又は前記Ｔ形鋼のウェブの両側面に接合されたスタッドと、
前記Ｈ形鋼又は前記Ｔ形鋼の下側フランジの高さで下面が設けられ、コンクリート打設時には型枠として用いられ、コンクリート打設後は現場打ちコンクリートと構造的に一体化される床材と、
前記床材の上に、少なくとも前記Ｈ形鋼又は前記Ｔ形鋼のウェブの全幅以上の厚さまで前記ウェブの両側面に打設された現場打ちコンクリートと、
を有する合成床版。
【請求項６】
前記床材は、厚さが前記Ｈ形鋼又は前記Ｔ形鋼のウェブより小さい、ハーフプレキャストコンクリートスラブ版又は鋼製のデッキプレートである請求項５に記載の合成床版。
【請求項７】
請求項４に記載のプレキャストコンクリートスラブ版を梁の間に架け渡す工程と、
隣り合う前記プレキャストコンクリートスラブ版の前記接合部から露出した前記継手筋を、鉄筋で接合する鉄筋接合工程と、
前記接合部にコンクリートを充填する工程と、
を有するプレキャストコンクリートスラブ版の施工方法。
【請求項８】
請求項１若しくは２に記載の床組構造、請求項３若しくは４に記載のプレキャストコンクリートスラブ版、又は請求項５若しくは６に記載の合成床版が使用された耐火建築物。
【発明の詳細な説明】
【技術分野】
【０００１】
本発明は、床組構造、プレキャストコンクリートスラブ版及びその施工方法、合成床版、及び耐火建築物に関する。
【背景技術】
【０００２】
建物の階高は、居住のための居住空間と、建物を構成する梁やコンクリートスラブ等が配置された居住空間以外の空間（以下これらの空間を代表して「天井ふところ」と記載する。）を合計した高さである。
【０００３】
近年、居住性能を向上させる目的で、同じ階高であっても、居住空間の天井高をより高くしたいという要望がある。また、建物の有効面積を少しでも広く確保したいという目的で、居住空間は犠牲にせずに、階高を小さくして階数を増やしたいという要望がある。いずれの要望も、天井ふところの高さを低くすれば解消する。
【０００４】
しかし、天井ふところの高さは、コンクリートスラブの厚さと、コンクリートスラブを上面に載せて支持する梁の高さ（梁成）を合計した高さが大きな割合を占めている。コンクリートスラブの厚さと梁成は、建築の強度に直接影響を及ぼす要素であり、建物の性能を低下させずに低くする必要がある。
【０００５】
従来、鉄骨を梁に用いる建物（以下「鉄骨造」とする。）では、やむを得なく天井ふところを低くする場合には、梁成の低い梁を多く設けたり、適正なＨ形鋼の設計からは外れるが、梁成の低い扁平断面のＨ形鋼を用いて梁成を低くし、その分だけ天井ふところを低くする方法で対応していた。しかし、梁本数の増加や、扁平断面のＨ形鋼の使用は、鉄骨重量の増大による価格の上昇を伴うため好ましくなく、できるだけ梁本数を減らしたり、一般的なＨ形鋼を使用して、天井ふところを低くする技術が求められている。
【０００６】
更に、耐火建築物においては、空間に露出した鉄骨梁（Ｈ形鋼）の部分は耐火被覆を施す必要があり、この耐火被覆材の厚さも天井ふところの高さに加わる。このため、天井ふところを低くするには、耐火被覆材を用いないで耐火性能を満足させる構成としなければならない。
【０００７】
天井ふところを低くしたいという要望に応える技術として、Ｈ形鋼の上側フランジの上面とコンクリートスラブの上面を一致させ、Ｈ形鋼の上部をコンクリートスラブに埋設させることで、コンクリートスラブの厚さだけ天井ふところを低くする構造が提案されている（特許文献１）。
【０００８】
しかし、図９（Ａ）（Ｂ）に示すように、特許文献１は、コンクリートスラブ６０を、Ｈ形鋼６１のウェブ６１ｃの両面に取付けたスラブ受け冶具６２で支持する必要があるため、スラブ受け冶具６２の追加と、スラブ受け冶具６２をウェブ６１ｃに取付ける作業が別途必要となる。
【０００９】
更に、図９（Ｃ）（Ｄ）に示すように、特許文献１を耐火建築物に適用する場合には、Ｈ形鋼６１の露出された部分を耐火被覆材６３で覆わなければならない。即ち、コンクリートスラブ６０の下方に露出しているウェブ６１ｃ、スラブ受け冶具６２、下側フランジ６１ｂのそれぞれの表面を耐火被覆材６３で覆う必要がある。この結果、下側フランジ６１ｂの下面も耐火被覆材６３で覆われるため、耐火被覆材６３の厚さだけ、天井ふところが高くなってしまう。
【００１０】
また、形鋼のウェブの全幅を覆う厚さでコンクリートが充填された床版が提案されている（特許文献２）。即ち、図１０に示すように、特許文献２に記載の複合床版６５は、底鋼板６６と、その上面に所要間隔で並列配置した複数本の形鋼６７と、形鋼６７の間に架け渡された連結鋼板６８とで構成される。隣接する形鋼６７の間、及び底鋼板６６と連結鋼板６８との間に形成される中空部にはコンクリート等の充填材６９が充填されている。
【００１１】
しかし、床材としての耐荷力は底鋼板６６、連結鋼板６８及び形鋼６７が負担し、充填材６９は強度部材とはされていない。また、かかる構成は、耐火性能が確保できないため、居住空間を有する建物には採用できない。
【先行技術文献】
【特許文献】
【００１２】
【特許文献１】特開２００２−１８８２０９号公報
【特許文献２】特開平７−９０９７０号公報
【発明の概要】
【発明が解決しようとする課題】
【００１３】
本発明は、上記事実に鑑み、耐火性能を満足させて天井ふところを低くすることを目的とする。
【課題を解決するための手段】
【００１４】
請求項1に記載の発明に係る床組構造は、鉄骨製の梁と、前記梁の側面に接合されたスタッドと、前記梁の側面及び前記スタッドと一体となるように打設されたコンクリートスラブと、を有することを特徴としている。
【００１５】
請求項1に記載の発明によれば、床組構造は、コンクリートスラブが鉄骨製の梁の側面及び梁の側面に接合されたスタッドと一体となるように打設されている。
これにより、コンクリートスラブを、梁の上面から梁の側面に下げて構築できるため、コンクリートスラブを下げた分だけ天井ふところを小さくできる。このとき、コンクリートスラブと梁は、スタッドで強く接合される。
【００１６】
また、コンクリートスラブで鉄骨製の梁の上部と下部が熱的に分断されるため、火災時に鉄骨製の梁の上部と下部が同時に加熱される事態を避けることができ、鉄骨製の梁の耐熱性能が向上する。更に、鉄骨製の梁の側面に構築されたコンクリートスラブが有する熱容量により、鉄骨製の梁の温度上昇が抑制される。
【００１７】
この結果、鉄骨製の梁に要求される耐火基準を満足させることができ、耐火建築物に適用された場合でも梁下面の耐火被覆が不要となり、又は被覆厚さを低減でき、耐火被覆材の厚さの減少分だけ天井ふところを小さくできる。
【００１８】
請求項２に記載の発明は、請求項１に記載の床組構造において、前記梁はＨ形鋼又はＴ形鋼であり、前記コンクリートスラブの厚さは、前記Ｈ形鋼又はＴ形鋼のウェブの全幅以上であることを特徴としている。
即ち、コンクリートスラブが、Ｈ形鋼又はＴ形鋼のウェブの全幅以上の厚さでウェブの側面に構築されている。
【００１９】
これにより、Ｈ形鋼又はＴ形鋼のウェブの幅寸法だけ天井ふところを小さくできる。このとき、一般的なＨ形鋼又はＴ形鋼を使用することが可能であり、Ｈ形鋼又はＴ形鋼としての性能の低下は生じない。また、スタッドでコンクリートスラブとＨ形鋼又はＴ形鋼を強く接合できる。
【００２０】
更に、コンクリートスラブでＨ形鋼の上側フランジと下側フランジ、又はＴ形鋼の下側フランジとウェブの上部が熱的に分断されるため、火災時に、それらが同時に加熱される事態を避けることができ、Ｈ形鋼又はＴ形鋼の耐熱性能が向上する。更に、Ｈ形鋼又はＴ形鋼のウェブの両面に、ウェブの全幅以上の厚さで構築されたコンクリートスラブが有する熱容量により、Ｈ形鋼又はＴ形鋼の温度上昇が抑制される。
【００２１】
この結果、Ｈ形鋼又はＴ形鋼に要求される耐火基準を満足させることができ、耐火建築物に適用された場合でも下側フランジの下面の耐火被覆が不要となり、又は被覆厚さを低減でき、耐火被覆材の厚さの減少分だけ天井ふところを小さくできる。
【００２２】
請求項３に記載の発明に係るプレキャストコンクリートスラブ版は、Ｈ形鋼又はＴ形鋼と、前記Ｈ形鋼又はＴ形鋼のウェブの両側面に接合されたスタッドと、少なくとも前記Ｈ形鋼又はＴ形鋼のウェブの全幅以上の厚さで前記ウェブの両側面に構築されたコンクリートスラブと、を有することを特徴としている。
【００２３】
請求項３に記載の発明によれば、プレキャストコンクリートスラブ版は、コンクリートスラブがＨ形鋼又はＴ形鋼のウェブの全幅以上の厚さでＨ形鋼又はＴ形鋼の側面に構築され、コンクリートスラブの内部には、Ｈ形鋼又はＴ形鋼のウェブの側面に接合されたスタッドが埋め込まれている。
プレキャストコンクリートスラブ版は、上述した床組構造と同じ利点を有することに加え、予め他の場所で製造が可能となるため、現場でのコンクリートの打設作業が省け、工期の短縮が図れる。
【００２４】
請求項４に記載の発明は、請求項３に記載のプレキャストコンクリートスラブ版において、前記コンクリートスラブの周囲の一部を切り欠いて形成され、前記コンクリートスラブの継手筋を露出させた接続部を有することを特徴としている。
【００２５】
即ち、コンクリートスラブの周囲には接続部が形成されている。接続部は、コンクリートスラブの一部を切り欠いて形成され、接続部からは、コンクリートスラブの継手筋が露出している。
これにより、梁の間にプレキャストコンクリートスラブ版を架け渡し、床スラブを構築する過程において、隣接するプレキャストコンクリートスラブ版同士を、接続部で機械式鉄筋継手や鋼製スリーブ等を利用して接続し、その接続部のみを現場でコンクリート打設するだけでよく、施工作業の簡素化が図れる。
【００２６】
請求項５に記載の発明に係る合成床版は、Ｈ形鋼又はＴ形鋼と、前記Ｈ形鋼又は前記Ｔ形鋼のウェブの両側面に接合されたスタッドと、前記Ｈ形鋼又は前記Ｔ形鋼の下側フランジの高さで下面が設けられ、コンクリート打設時には型枠として用いられ、コンクリート打設後は現場打ちコンクリートと構造的に一体化される床材と、前記床材の上に、少なくとも前記Ｈ形鋼又は前記Ｔ形鋼のウェブの全幅以上の厚さまで前記ウェブの両側面に打設された現場打ちコンクリートと、を有することを特徴としている。
【００２７】
請求項５に記載の発明によれば、Ｈ形鋼又はＴ形鋼の両側面に合成床版が接合されている。合成床版は、コンクリート打設時には型枠として用いられ、コンクリート打設後は現場打ちコンクリートと構造的に一体化される床材と、床材の上に打設された現場打ちコンクリートとを有している。
【００２８】
床材の下面は、Ｈ形鋼又はＴ形鋼の下側フランジの高さとされ、現場打ちコンクリートの上面は、少なくともＨ形鋼又はＴ形鋼のウェブの全幅以上の厚さまでとされている。
これにより、床材下面の型枠を省略できるので、現場でのコンクリートの打設作業が省け、工期の短縮が図れる。
【００２９】
請求項６に記載の発明は、請求項５に記載の合成床版において、前記床材は、厚さが前記Ｈ形鋼又は前記Ｔ形鋼のウェブより小さい、ハーフプレキャストコンクリートスラブ版又は鋼製のデッキプレートであることを特徴としている。
広く利用されているハーフプレキャストコンクリートスラブ版や鋼製のデッキプレートを使用することにより、工期の短縮や施工費用の低減ができる。
【００３０】
請求項７に記載の発明に係るプレキャストコンクリートスラブ版の施工方法は、請求項４に記載のプレキャストコンクリートスラブ版を梁の間に架け渡す工程と、隣り合う前記プレキャストコンクリートスラブ版の前記接合部から露出した前記継手筋を、鉄筋で接合する鉄筋接合工程と、前記接合部にコンクリートを充填する工程と、を有することを特徴としている。
【００３１】
請求項７に記載の発明によれば、先ず、プレキャストコンクリートスラブ版を梁の間に架け渡す工程を実行する。プレキャストコンクリートスラブ版は、他の場所において、スタッドが接合されたＨ形鋼又はＴ形鋼のウェブの両面に、少なくともＨ形鋼又はＴ形鋼のウェブの全幅以上の厚さで、ウェブの両側面にコンクリートスラブを一体化して形成される。
【００３２】
次に、プレキャストコンクリートスラブ版の継手筋を鉄筋で接合する鉄筋接合工程を実行する。即ち、隣接するプレキャストコンクリートスラブ版の接合部から露出された継手筋同士を、鉄筋で接合する。
【００３３】
このとき、プレキャストコンクリートスラブ版の応力負担方向をＨ形鋼の流し方向と同じ一方向版として設計した場合、接合する鉄筋の本数は、面内せん断力の伝達に必要な本数でよい。
最後に、コンクリート充填工程で、接合部にコンクリートを充填する。即ち、継手筋と鉄筋との接合後、切り欠かれた接合部にコンクリートを充填して、床スラブを構築する。
上述したように、梁にプレキャストコンクリートスラブ版を並べて架け渡せば、コンクリートスラブが構築されるので、施工性が向上する。
【００３４】
請求項８に記載の発明に係る耐火建築物は、請求項１若しくは２に記載の床組構造、請求項３若しくは４に記載のプレキャストコンクリートスラブ版、又は請求項５若しくは６に記載の合成床版が使用されたことを特徴としている。
【００３５】
これにより、耐火建築物においても、梁の下面やＨ形鋼又はＴ形鋼の下側フランジの下面の耐火被覆材が不要となり、又は被覆厚さを低減でき、耐火被覆材の厚さの減少分だけ天井ふところを低くできる。
【発明の効果】
【００３６】
本発明は、上記構成としてあるので、耐火性能を満足させて天井ふところを低くできる。
【図面の簡単な説明】
【００３７】
【図１】本発明の第１の実施の形態に係る床組構造の基本構成を示す図である。
【図２】本発明の第１の実施の形態に係る床組構造の梁との接合例を示す図である。
【図３】本発明の第１の実施の形態に係る床組構造の他の構成例を示す図である。
【図４】本発明の第２の実施の形態に係るプレキャストコンクリートスラブ版の基本構成を示す図である。
【図５】本発明の第２の実施の形態に係るハーフプレキャストコンクリートスラブ版の基本構成を示す図である。
【図６】本発明の第２の実施の形態に係る鋼製デッキとの合成床版の基本構成を示す図である。
【図７】本発明の第３の実施の形態に係る耐火建築物の平面構成を示す図である。
【図８】本発明の第３の実施の形態に係る耐火建築物の立面構成及び適用例を示す図である。
【図９】従来例の梁とスラブの重ね寸法を低くする基本構成を示す図である。
【図１０】従来例の梁とスラブの重ね寸法を低くする基本構成を示す図である。
【発明を実施するための形態】
【００３８】
（第１の実施の形態）
図１、２に示すように、第１の実施の形態に係る床組構造１０は、梁材としてのＨ形鋼１２を有し、Ｈ形鋼１２は梁４６の間に架け渡されている。Ｈ形鋼１２と梁４６の接合は、従来と同様に、梁４６に固定したプレート７２と、Ｈ形鋼１２に固定したプレート７３をボルト７４で接合する。
【００３９】
Ｈ形鋼１２のウェブ１６の両面には複数のスタッド１４が接合され、Ｈ形鋼１２及びスタッド１４と一体となるように、コンクリートスラブ１８が、図示しない型枠の上に現場打ちコンクリートで打設されている。このとき、コンクリートスラブ１８とＨ形鋼１２は、ウェブ１６の両面に設けられたスタッド１４を埋め込んで接合され、接合強度が確保されている。
【００４０】
Ｈ形鋼１２のウェブ１６の幅寸法はＨ１とされ、コンクリートスラブ１８は、ウェブ１６の成Ｈ１の全幅以上を覆う厚さＨ２で打設されている。コンクリートスラブ１８の梁４６側の端部には、図示しないコンクリート止めプレートが設けられ、梁４６のウェブ側面にはコンクリートが充填されていない。梁４６の表面には、耐火被覆が施されている。
なお、コンクリートスラブ１８の内部には主筋や配力筋が配筋されているが、図示は省略している。
【００４１】
コンクリートスラブ１８の上面１８Ｕは、Ｈ形鋼１２の上側フランジ１２Ｕの上面と同じ高さとされ、Ｈ形鋼１２は、上側フランジ１５Ｕの上面と下側フランジ１５Ｄの下面及び側面を除き、コンクリートスラブ１８に埋設されている。
【００４２】
図１、２に示す構成とすることにより、従来、Ｈ形鋼１２の上側フランジ１５Ｕの上面に構築していたコンクリートスラブ１８の下面を、Ｈ形鋼１２に支持させた状態で、Ｈ形鋼１２の下側フランジ１５Ｄの位置まで下げることができる。
即ち、適正な断面形状のＨ形鋼１２を使用して、Ｈ形鋼１２の使用本数を増やさずに、またＨ形鋼１２の性能を低下させずに、コンクリートスラブ１８と、コンクリートスラブ１８を支持するＨ形鋼１２の合計高さを低くできる。
【００４３】
なお、コンクリートスラブ１８の下面を、Ｈ形鋼１２の上側フランジ１５Ｕの上面から下側フランジ１５Ｄの位置まで下げても、天井仕上げ面はコンクリートスラブ１８の下面から必要最小限の寸法を確保すれば敷設することが可能であり、コンクリートスラブ１８の下面を下側フランジ１５Ｄの位置まで下げても、居住空間として要求される天井高さを確保するのに問題はないばかりか、Ｈ形鋼１２の下方に敷設される天井のふところを低く（小さく）することができる。
更に、下記に示す理由で耐火性能を向上させることができる。
【００４４】
即ち、耐火建築物においては、Ｈ形鋼１２の露出している部分は耐火性能を満たすため、周囲を耐火被覆材で覆う必要がある。しかし、図１、２に示す構成とすることにより、コンクリートスラブ１８の上階、又は下階のいずれか一方の階で火災が発生した場合、コンクリートスラブ１８が断熱材として作用し、Ｈ形鋼１２の上側フランジ１５Ｕと下側フランジ１５Ｄを熱的に分断する。これにより、上側フランジ１５Ｕと下側フランジ１５Ｄが同時に加熱される事態が防止され、Ｈ形鋼１２の温度上昇が抑制される。
【００４５】
更に、ウェブ１６の両面に構築されたコンクリートスラブ１８が断熱材として作用して、ウェブ１８が直接火炎に曝されるのを防止する。同時にコンクリートスラブ１８が有する熱容量により、ウェブ１６の温度上昇が抑制される。
【００４６】
このように、Ｈ形鋼１２をコンクリートスラブ１８に埋め込む構成とすることにより、Ｈ形鋼１２に要求される耐火基準を満足させることができる。この結果、床組構造１０を耐火建築物に適用した場合に、下側フランジ１５Ｄの下面は露出されているにも係わらず、耐火被覆材が不要、又は耐火被覆材の厚さを減少できる。
【００４７】
なお、第１の実施の形態に係る床組構造１０は、梁材としてＨ形鋼１２を使用した。しかし、これに限定されることはなく、図３に示すように、梁材としてＴ形鋼２２を使用してもよい。
【００４８】
即ち、ウェブ２４の両面に複数のスタッド１４が接合されたＴ形鋼２２を、梁４６の間に架け渡し、Ｔ形鋼２２及びスタッド１４と一体となるように、コンクリートスラブ１８を、図示しない型枠の上に現場打ちコンクリートで打設する。
【００４９】
ウェブ２４の成がＨ３のＴ形鋼２２を使用し、コンクリートスラブ１８の下面をＴ形鋼２２のフランジ位置とし、コンクリートスラブ１８は、ウェブ２４の成Ｈ３の全幅以上の厚さＨ２で打設する。
これにより、Ｔ形鋼２２を使用しても、Ｈ形鋼１２を使用した場合と同様の、上述した作用、効果を得ることができる。
【００５０】
（第２の実施の形態）
図４（Ａ）に示すように、第２の実施の形態に係るプレキャストコンクリートスラブ版２６は、第１の実施の形態で説明した床組構造１０を、プレキャスト化したものである。即ち、プレキャストコンクリートスラブ版２６は、長手方向の中央に梁材となるＨ形鋼１２を有している。Ｈ形鋼１２のウェブ１６の両側の側面には、図示しない複数のスタッド１４が接合され、ウェブ１６の両側に、コンクリートスラブ２８が打設された状態でプレキャスト化されている。
【００５１】
コンクリートスラブ２８の長手方向の両側面は、コンクリートの一部が切り欠かれ、コンクリートスラブ２８の内部に埋め込まれた、継手筋５４の一部を露出させた接続部３０が複数形成されている。
【００５２】
これにより、梁４６の間に、長手方向の側面同士を突き合わせながらプレキャストコンクリートスラブ版２６を架け渡し、順次床スラブを構築してゆく過程において、隣接するプレキャストコンクリートスラブ版２６同士を、接続部３０を利用して接続することができる。
【００５３】
接合方法としては、図４（Ｂ）に示すように、接続部３０の内部で、継手筋５４に機械式鉄筋継手４８を被せてスライドさせながら、両方の継手筋５４を機械式鉄筋継手４８でラップさせ、隙間部を充填材で充填して固定する方法や、図４（Ｃ）に示すように、接続部３０の中で、両方の継手筋５４の間に鉄筋５６渡し、継手筋５４と鉄筋５６を鋼製スリーブ５４に差し込んで、隙間に図示しないウェッジを圧入して固定する方法等がある。また、図４（Ｄ）に示すように、接続部３０でなく、目地３１を設けて、一方の継手筋５４に機械式鉄筋継手４８を被せ、スライドさせながら、両方の継手筋５４を機械式鉄筋継手４８でラップさせる方法でもよい。
これにより、予め、別の場所でプレキャストコンクリートスラブ版２６を製造でき、現場施工の手間を減らすことができる。
【００５４】
次に、プレキャストコンクリートスラブ版２６の施工方法について説明する。
先ず、搬入、架け渡し工程を実行する。即ち、施工現場とは異なる場所に設置された製造所でプレキャストコンクリートスラブ版２６を製造し、この、別の場所で製造されたプレキャストコンクリートスラブ版２６を施工現場に搬入する。そして、プレキャストコンクリートスラブ版２６を梁４６の間に架け渡す。Ｈ形鋼１２のフランジと梁４６は、上述したように、ガセットプレート等を使用してボルト接合や溶接接合で接合する。
このとき、プレキャストコンクリートスラブ版２６の梁４６側の端面は、梁４６のウェブにコンクリートを充填し、プレキャストコンクリートスラブ版２６の配筋を埋め込んでもよい。
【００５５】
次に、鉄筋接合工程を実行する。即ち、隣接するプレキャストコンクリートスラブ版２６を、それぞれの接合部３０から露出された継手筋５４同士を接合して固定する。継手筋同士の接合は、機械式鉄筋継手４８や鋼製スリーブ５４等を用いて接合する。
このとき、コンクリートスラブ２８の応力負担方向が、Ｈ形鋼１２の流し方向と同じ一方向版として設計した場合、接合する鉄筋の本数は、面内せん断力の伝達に必要な本数でよい。
【００５６】
最後に、コンクリート充填工程を実行する。即ち、継手筋５４と機械式鉄筋継手４８との接合後、切り欠かれた接合部３０にコンクリートを充填して、床スラブを完成させる。
以上、説明したように別の場所で製造されたプレキャストコンクリートスラブ版２６を、梁４６の間に並べて架け渡すことでコンクリートスラブが構築されるので、施工性が向上する。
【００５７】
（第３の実施の形態）
図５に示すように、第３の実施の形態に係るハーフプレキャストスラブ版３２は、第１の実施の形態で説明したＨ形鋼１２を有し、Ｈ形鋼１２のウェブの両側面には、スタッド１４が接合されている。
ハーフプレキャストスラブ版３２は、予め別の場所で製造され、厚さが床の厚さより薄くされたハーフプレキャストコンクリートスラブ版３４が下層に敷かれ、ハーフプレキャストコンクリートスラブ版３４の上に、現場打ちコンクリートを打設した構成である。
【００５８】
ハーフプレキャストコンクリートスラブ版３４は、例えばオムニア版やスパンクリート版であり、下面がＨ形鋼の下側フランジの高さに設けられ、コンクリート打設時には型枠として用いられ、コンクリート打設後は現場打ちコンクリートと構造的に一体化される。
【００５９】
このとき、梁４６との接合部は、ハーフプレキャストコンクリートスラブ版３４の梁４６側の端部に、図示しないコンクリート止めプレートを設け、梁４６のウェブ側面にはコンクリートを充填させない方法でもよいし、図５（Ｂ）に示すように、コンクリート止めプレートを設けず、梁４６のウェブ側面に型枠５９を取り付けてコンクリートを充填させ、現場打ちコンクリートの中に設けた床上端筋３８を水平アンカーとし、ハーフプレキャストコンクリートスラブ版３４の内部に設けられた床下端筋３９を垂直アンカーとしてもよい。
なお、ハーフプレキャストコンクリートスラブ版３４の下には、サポート５８を設けて現場打ちコンクリートを打設する。
【００６０】
現場打ちコンクリートは、少なくともＨ形鋼のウェブの全幅以上の厚さまでウェブの両側面に打設されている。ここに、隣接するハーフプレキャストコンクリートスラブ版３２同士の接合は、現場打ちコンクリート部分で面内せん断力が伝達可能な場合は、接合部における機械式鉄筋継手による継手筋の接続は不要となる。
【００６１】
これにより、第１の実施の形態で説明した効果を得ることができると共に、型枠を省略できるので、現場でのコンクリートの打設作業が省け、工期の短縮が図れる。
【００６２】
なお、ハーフプレキャストコンクリートスラブ版３２を使用したハーフプレキャストスラブ版３２について説明したが、これに限定されることはなく、ハーフプレキャストコンクリートスラブ版３４の替わりに鋼製のデッキプレート４２を使用してもよい。
【００６３】
即ち、図６に示すように、デッキプレートスラブ４０は、デッキプレート４２が下層に敷かれ、デッキプレート４２の上に、現場打ちコンクリートを打設した構成である。デッキプレート４２は、例えばフラットデッキやフェローデッキであり、下面をＨ形鋼１２の下側フランジの高さに設け、デッキプレート４２の上に、現場打ちコンクリート４４を、少なくともＨ形鋼１２のウェブ１６の全幅以上の厚さまでウェブ１６の両側面に打設する。
これにより、第１の実施の形態で説明した作用、効果を得ることができると共に、型枠を省略できるので、工期の短縮が図れる。
【００６４】
また、以上説明したハーフプレキャストスラブ版３２、デッキプレートスラブ４０は、いずれもＨ形鋼を梁材として用いた。しかし、これに限定されることはなく、Ｔ形鋼を梁材として用いてもよい。これにより、Ｈ形鋼を使用した場合とほぼ同等の作用、効果を得ることができる。Ｔ形鋼の具体的な構成は既に説明してあるので省略する。
【００６５】
（第４の実施の形態）
第４の実施の形態に係る耐火建築物５０の平面図の例を図７に、立面図を図８に示す。図７に示すように、柱５２の間に梁４６架け渡され、梁４６の間に床組構造１０が架け渡され連結されている。
【００６６】
柱５２は角型鋼管製であり、柱５２の間にはＨ形鋼製の梁４６が架け渡され、梁４６の間に床組構造１０が設けられている。
床組構造１０は、第１の実施の形態で説明したものと同じ構成であり説明は省略する。梁４６の上側フランジの上面、コンクリートスラブ１８の上面、及びＨ形鋼１２の上側フランジ１５Ｕの上面は、いずれも同じ高さとされている。
【００６７】
これにより、それぞれのフロアにおいて、コンクリートスラブ１８と、クリートスラブ１８を支持するＨ形鋼１２を合計した高さを小さくできる。
次に、耐火建築物６０への具体的な適用例について説明する。図８（Ａ）が従来の天井高さの場合の構成であり、図８（Ｂ）が本実施の形態に係る天井高さの場合の構成である。
【００６８】
図８（Ａ）において、図示は省略するが、従来のコンクリートスラブと、コンクリートスラブを支持するＨ形鋼の構成においては、標準的な階高は約４．０ｍである。なお、１階の階高は他階より高く６．５ｍとしている。この結果、地上の階数を８階とすれば、建物高さは３４．５ｍとなる。道路斜線と隣地斜線の制限を考慮したとき、これ以上、階数を増やすことはできない。
【００６９】
一方、図８（Ｂ）に示すように、床組構造１０を採用すれば、既述したようにコンクリートスラブ１８の厚さＨ２と耐火被覆材の厚さの分だけ階高を低くできる。例えば、居住空間の高さを同一に維持したまま、標準的な階高である４．０ｍより０．２ｍ程度低くすることが可能である。即ち、階高を約３．８ｍにできる。
【００７０】
この結果、図８（Ａ）と同じ建築条件の敷地においても、１階部分の階高を６．５ｍと図８（Ａ）と同じ高さとし、地上の階数を９階とした場合であっても建物高さは３６．９ｍで抑えられる。即ち、道路斜線と隣地斜線の制限を考慮しても許容範囲に納めることができる。
このように、同じ敷地の土地であるにも係わらず、従来８階が上限であった階数を、１階分だけ増やせ９階の建物とすることができる。これにより、述べ床面積の増大、建築資材の減少が図れる。
【００７１】
なお、図７、８に示す耐火建築物５０は、第１の実施の形態に係る床組構造１０で説明したが、第２の実施の形態に係るプレキャストコンクリートスラブ版２６、又は第３の実施の形態に係るハーフプレキャストスラブ版３２、デッキプレートスラブ４０を使用してもよい。
【００７２】
以上に本発明を図示した実施例に基づいて説明したが、もとより本発明の要旨は図示した実施例に限定されるものではない。所謂当業者が必要に応じて行う設計変更その他の変形、または応用の範囲などを含む発明である。
【符号の説明】
【００７３】
１０  床組構造
１２  Ｈ形鋼（梁）
１４  スタッド
１５  フランジ
１６  ウェブ
１８  コンクリートスラブ
２０  床組構造
２２  Ｔ形鋼（梁）
２４  ウェブ
２６  プレキャストコンクリートスラブ版
３０  接続部
３２  ハーフプレキャストスラブ版（合成床版）
３４  ハーフプレキャストコンクリートスラブ版（床版）
３６  現場打ちコンクリート
４０  デッキプレートスラブ（合成床版）
４２  デッキプレート（床版）
４４  現場打ちコンクリート
５０  耐火建築物  
【図１】
2011231543.tif 000003
【図２】
2011231543.tif 000004
【図３】
2011231543.tif 000005
【図４】
2011231543.tif 000006
【図５】
2011231543.tif 000007
【図６】
2011231543.tif 000008
【図７】
2011231543.tif 000009
【図８】
2011231543.tif 000010
【図９】
2011231543.tif 000011
【図１０】
2011231543.tif 000012